(57)【特許請求の範囲】
【請求項１】
水密材および前記水密材よりも室内側に位置する気密材が装着される枠体と、前記枠体内に配置されるパネルとを備えるカーテンウォールユニットであって、
前記枠体は、前記パネルの室内面に対向する室内対向片を有する枠本体と、前記パネルの室外面に対向する室外対向片と、前記室外対向片を前記枠本体に連結する連結片とを有し、
前記連結片の室外端部には、前記枠体の見付け方向両側に突出する係合片部が形成され、
前記室外対向片は、前記連結片に対して別体として形成され、
前記室外対向片には、前記係合片部の両端側において前記係合片部の室内面に対向する室内対向面と、前記係合片部の両端に対向する端部対向面と、前記係合片部の室外面に対向する室外対向面とを有して前記係合片部に係合可能な係合凹部が形成され、
前記係合片部と前記係合凹部との間には室内外断熱用の絶縁材が介在され、
前記絶縁材は、前記水密材よりも室外側に装着される
ことを特徴とするカーテンウォールユニット。
【請求項２】
水密材および前記水密材よりも室内側に位置する気密材が装着される枠体と、前記枠体内に配置されるパネルとを備えるカーテンウォールユニットであって、
前記枠体は、前記パネルの室内面に対向する室内対向片および前記室内対向片に連続する見込み片を有する枠本体と、前記パネルの室外面に対向する室外対向片と、前記室外対向片を前記枠本体に連結する連結片と、前記見込み片の内側見込み面を間隔を隔てて覆うカバー片とを有し、
前記室外対向片は、前記連結片に対して別体として形成され、
前記室外対向片と前記連結片との間には室内外断熱用の絶縁材が介在され、
前記絶縁材は、前記水密材よりも室外側に装着され、
前記カバー片は、その室外側および室内側において前記枠本体にカバー片断熱用の絶縁材を介して連結される
ことを特徴とするカーテンウォールユニット。
【請求項３】
請求項２に記載のカーテンウォールユニットにおいて、
前記室内対向片は、前記枠体の見付け方向に沿って前記見込み片から延出した延出部を有し、
前記延出部には、室外突部および室内突部が形成され、
前記室外突部には、前記パネルに当接するバックアップ材が装着され、
前記室内突部には、前記カバー片断熱用の絶縁材が装着され、
前記カバー片の室外端部には、前記カバー片断熱用の絶縁材に係合する凹部が形成される
ことを特徴とするカーテンウォールユニット。
【請求項４】
請求項１から請求項３のいずれか一項に記載のカーテンウォールユニットにおいて、
前記枠体のうち前記水密材よりも室外側であって前記絶縁材よりも室内側の部分には、室外水密材がさらに装着される
ことを特徴とするカーテンウォールユニット。
【請求項５】
請求項４に記載のカーテンウォールユニットにおいて、
前記枠体には、前記室外対向片と前記連結片とによって区画される装着溝が形成され、
前記装着溝には、前記室外水密材が装着される
ことを特徴とするカーテンウォールユニット。
【請求項６】
請求項１から請求項５のいずれか一項に記載のカーテンウォールユニットにおいて、
前記連結片は、前記枠本体に対して別体として形成され、
前記室外対向片、前記連結片および前記室内外断熱用の絶縁材の組合せ体によって前記枠本体に着脱可能な押縁が構成される
ことを特徴とするカーテンウォールユニット。
【発明の詳細な説明】
【技術分野】
【０００１】
本発明は、建物の外壁面を構成するカーテンウォールを構成するカーテンウォールユニットに関する。
【背景技術】
【０００２】
従来、カーテンウォールとして、上下・左右に隣接するカーテンウォールユニット間に水密構造を備えたものが知られている（特許文献１参照）。カーテンウォールユニットは、上枠、下枠、左右の縦枠を枠組みした枠体内にパネル体を装着して構成されている。水密構造は、上枠、下枠、左右の縦枠に装着された各シール材を隣接するカーテンウォールユニットの各シール材に当接させることによって構成されている。特に、縦枠には、室内側シール材と、室外側縦シール材とが装着されており、室内側シール材および室外側縦シール材間に室外側外気との等圧空間を形成する等圧構造が構成されている。この等圧構造の採用により雨水の浸入を抑制できるため、カーテンウォールユニットの設置後、各カーテンウォールユニット間にシール材を充填する手間を省くことができる。
【先行技術文献】
【特許文献】
【０００３】
【特許文献１】実用新案登録第２５４０２２４号公報
【発明の概要】
【発明が解決しようとする課題】
【０００４】
ところで、特許文献１に記載のカーテンウォールでは、縦枠は室外側から室内側にわたって一体に形成されているため、縦枠の室外側の露呈部分から室内側部分まで熱伝導する。このため、断熱性の向上を図ることが困難である。
【０００５】
本発明の目的は、等圧構造を形成可能であるとともに、断熱性を向上できるカーテンウォールユニットを提供することにある。
【課題を解決するための手段】
【０００６】
本発明のカーテンウォールユニットは、水密材および前記水密材よりも室内側に位置する気密材が装着される枠体と、前記枠体内に配置されるパネルとを備えるカーテンウォールユニットであって、前記枠体は、前記パネルの室内面に対向する室内対向片を有する枠本体と、前記パネルの室外面に対向する室外対向片と、前記室外対向片を前記枠本体に連結する連結片とを有し、前記連結片の室外端部には、前記枠体の見付け方向両側に突出する係合片部が形成され、前記室外対向片は、前記連結片に対して別体として形成され、前記室外対向片には、前記係合片部の両端側において前記係合片部の室内面に対向する室内対向面と、前記係合片部の両端に対向する端部対向面と、前記係合片部の室外面に対向する室外対向面とを有して前記係合片部に係合可能な係合凹部が形成され、前記係合片部と前記係合凹部との間には室内外断熱用の絶縁材が介在され、前記絶縁材は、前記水密材よりも室外側に装着されることを特徴とする。
本発明によれば、カーテンウォールユニットを建物に複数並設してカーテンウォールを形成する場合には、互いに隣接する各カーテンウォールユニットの水密材（レインバリア）同士および気密材（ウインドバリア）同士を当接させて当該水密材および気密材間に室外側外気との等圧空間を形成し、室外側からの雨水の浸入を抑制可能な等圧構造を構成する。このような構成において、室外対向片と連結片との間に室内外断熱用の絶縁材が介在されるため、室外側に露呈する室外対向片から連結片への熱伝導を絶縁でき、室内外間の断熱性を向上できる。
また、絶縁材が水密材よりも室外側に装着されるため、絶縁材よりも室内側に位置する枠本体に対する室外側外気に依存する温度変化を軽減し、枠本体から水密材および気密材間の等圧空間への熱伝導を抑制して当該等圧空間の室外側外気に依存する温度変化を軽減
できる。これにより、室外側外気による温度変化に影響されずに室内温度を所定温度に保つことがより容易となる。
加えて、このような構成によれば、係合片部が枠体の見付け方向両側に突出して形成され、係合凹部が室内対向面、端部対向面および室外対向面を有するため、火災時に係合片部および係合凹部間の絶縁材が焼失等しても係合凹部の各対向面（特に室内対向面）は係合片部に当接し、室外対向片によってパネルの室外面を受けられる状態を維持できる。これにより、パネルの室外側への脱落を抑制でき、遮炎性を保つことができる。
また、係合片部が連結片の室外端部に形成されるため、枠体の室外側寄りの位置に室内外断熱用の絶縁材を配置できる。このため、室外温度に影響される枠体部分を少なくでき、断熱性の向上を図ることができる。
【０００７】
本発明のカーテンウォールユニットは、水密材および前記水密材よりも室内側に位置する気密材が装着される枠体と、前記枠体内に配置されるパネルとを備えるカーテンウォールユニットであって、前記枠体は、前記パネルの室内面に対向する室内対向片および前記室内対向片に連続する見込み片を有する枠本体と、前記パネルの室外面に対向する室外対向片と、前記室外対向片を前記枠本体に連結する連結片と、前記見込み片の内側見込み面を間隔を隔てて覆うカバー片とを有し、前記室外対向片は、前記連結片に対して別体として形成され、前記室外対向片と前記連結片との間には室内外断熱用の絶縁材が介在され、前記絶縁材は、前記水密材よりも室外側に装着され、前記カバー片は、その室外側および室内側において前記枠本体にカバー片断熱用の絶縁材を介して連結されることを特徴とする。
本発明によれば、カーテンウォールユニットを建物に複数並設してカーテンウォールを形成する場合には、互いに隣接する各カーテンウォールユニットの水密材（レインバリア）同士および気密材（ウインドバリア）同士を当接させて当該水密材および気密材間に室外側外気との等圧空間を形成し、室外側からの雨水の浸入を抑制可能な等圧構造を構成する。このような構成において、室外対向片と連結片との間に室内外断熱用の絶縁材が介在されるため、室外側に露呈する室外対向片から連結片への熱伝導を絶縁でき、室内外間の断熱性を向上できる。
また、絶縁材が水密材よりも室外側に装着されるため、絶縁材よりも室内側に位置する枠本体に対する室外側外気に依存する温度変化を軽減し、枠本体から水密材および気密材間の等圧空間への熱伝導を抑制して当該等圧空間の室外側外気に依存する温度変化を軽減
できる。これにより、室外側外気による温度変化に影響されずに室内温度を所定温度に保つことがより容易となる。
更に、このような構成によれば、カバー片が、その室外側および室内側において枠本体に各絶縁材を介して連結されるため、枠本体からカバー片への熱伝達を絶縁できる。
ところで、前述した室外水密材を備えていない場合には、隣接配置されるカーテンウォールユニットの枠本体は、室外側外気にある程度影響され、枠本体と室内空間とに温度差
が生じて見込み片の内側見込み面に結露が生じやすくなるおそれがある。そこで、本発明では、前述したようにカバー片を設置することで、見込み片に生じ得る結露を目隠しでき、また、枠本体からカバー片への熱伝達が各絶縁材によって絶縁されるため、カバー片と室内空間との温度差を低減でき、当該カバー片に結露が生じることを抑制できる。さらに、見込み片とカバー片との間の空間が室内空気から遮断されることで、当該空間に室内側から湿った空気が流入することを抑制でき、見込み片での結露を軽減できる。
加えて、カバー片は一つの枠本体に連結されるため、カーテンウォールユニットの現場施工前に予め枠本体に連結することができる。このため、例えば、カーテンウォールユニットの現場施工後、隣接配置される各枠本体をまとめて覆って設置されるカバー部材と比べて、施工性に優れる。
前述した本発明のカーテンウォールユニットにおいて、前記室内対向片は、前記枠体の見付け方向に沿って前記見込み片から延出した延出部を有し、前記延出部には、室外突部および室内突部が形成され、前記室外突部には、前記パネルに当接するバックアップ材が装着され、前記室内突部には、前記カバー片断熱用の絶縁材が装着され、前記カバー片の室外端部には、前記カバー片断熱用の絶縁材に係合する凹部が形成されることが好ましい。
このような構成によれば、室外対向片と絶縁された枠本体に室外突部、室内突部をそれぞれ設けたので、バックアップ材と絶縁材とを室内外方向に容易に設けることができ、その絶縁材とカバー片とを凹部で確実に装着することができる。
【０００８】
本発明のカーテンウォールユニットでは、前記室内対向片は、前記枠体の見付け方向に沿って前記見込み片から延出した延出部を有し、前記延出部には、室外突部および室内突部が形成され、前記室外突部には、前記パネルに当接するバックアップ材が装着され、前記室内突部には、前記カバー片断熱用の絶縁材が装着され、前記カバー片の室外端部には、前記カバー片断熱用の絶縁材に係合する凹部が形成されることが好ましい。
このような構成によれば、室外対向片と絶縁された枠本体に室外突部、室内突部をそれぞれ設けたので、バックアップ材と絶縁材とを室内外方向に容易に設けることができ、その絶縁材とカバー片とを凹部で確実に装着することができる。
【０００９】
本発明のカーテンウォールユニットでは、前記枠体のうち前記水密材よりも室外側であって前記絶縁材よりも室内側の部分には、室外水密材がさらに装着されることが好ましい。
このような構成によれば、等圧空間形成用の水密材よりも室外側に位置する室外水密材によって、雨水の浸入を遮断できるとともに、室外温度に影響される枠体部分をより少なくでき、そのうえ、室外側外気の過度な流入を抑制できて、断熱性の向上を図ることができる。
【００１０】
本発明のカーテンウォールユニットでは、前記枠体には、前記室外対向片と前記連結片とによって区画される装着溝が形成され、前記装着溝には、前記室外水密材が装着されることが好ましい。
このような構成によれば、室外対向片と連結片とによって区画される装着溝に室外水密材が装着されるため、室外水密材によって連結片が室外側に露呈する部分を少なくでき、断熱性の向上を図ることができる。
【００１１】
本発明のカーテンウォールユニットでは、前記連結片は、前記枠本体に対して別体として形成され、前記室外対向片、前記連結片および前記室内外断熱用の絶縁材の組合せ体によって前記枠本体に着脱可能な押縁が構成されることが好ましい。
このような構成によれば、押縁が、室外対向片、連結片および室内外断熱用の絶縁材の組合せ体によって構成されるため、押縁を枠本体に係合するだけで、パネルを保持できる。
また、パネル交換時などでは、押縁と枠本体との係合を解除するだけで、押縁を取り外せ、パネル交換可能な状態とでき、作業性の向上を図ることができる。
【発明の効果】
【００１４】
本発明によれば、等圧構造を形成可能であるとともに、断熱性を向上できるカーテンウォールユニットを提供できる。
【図面の簡単な説明】
【００１５】
【図１】本発明の実施形態に係るカーテンウォールユニットの設置状態を示す外観姿図。
【図２】前記実施形態に係るカーテンウォールユニットの設置状態を示す縦断面図。
【図３】前記実施形態に係るカーテンウォールユニットを示す縦断面図。
【図４】前記実施形態に係るカーテンウォールユニット上下枠を示す縦断面図。
【図５】前記実施形態に係るカーテンウォールユニットの要部を拡大して示す縦断面図。
【図６】前記実施形態に係るカーテンウォールユニットの無目を示す縦断面図。
【図７】前記実施形態に係るカーテンウォールユニットの縦枠上部を示す横断面図。
【図８】前記実施形態に係るカーテンウォールユニットの縦枠下部を示す横断面図。
【図９】図３に示すＩＸ−ＩＸ線に沿った断面図。
【発明を実施するための形態】
【００１６】
［本実施形態の構成］
以下、本発明の実施形態を図面に基づいて説明する。
図１，２は、建物２を構成するカーテンウォール１を示している。建物２は、梁３と、梁３で支持される床スラブ４とを備えている。床スラブ４の下部には吊り天井５が設置されている。
カーテンウォール１は、床スラブ４に吊られて連結された本実施形態に係るカーテンウォールユニット１０が上下左右に複数並設されることによって構成されている。
【００１７】
図３において、カーテンウォールユニット１０は、枠体２０と、パネル２１，２２とを備える段窓によって構成されている。
枠体２０は、アルミ押出形材によって形成された上枠３０、下枠４０、無目５０および左右の縦枠６０を枠組みして構成されている。上枠３０、無目５０および左右の縦枠６０は、上側の開口２３を形成しており、下枠４０、無目５０および左右の縦枠６０は、下側の開口２４を形成している。
パネル２１は、単層ガラスパネルによって構成されて開口２３に配置されており、パネル２２は、複層ガラスパネルによって構成されて開口２４に配置されている。
【００１８】
上枠３０は、図３，４に示すように、上枠本体３１（枠本体）と、押縁３２とを備えている。上枠本体３１は、室内対向片３１１と、内側見込み片３１２（見込み片）と、外側見込み片３１３（見込み片）と、室内見付け片３１４とを有して形成されている。
【００１９】
室内対向片３１１は、上枠３０の見付け方向に沿って配置されており、その室外面には、パネル２１の室内面に当接するガスケット１１が装着される室外突部３１１Ａが形成されている。
内側見込み片３１２は、室内対向片３１１に連続しており、室内部分に段部３１２Ａが形成されている。
外側見込み片３１３は、室内対向片３１１に連続しており、水密材１２および気密材１３がそれぞれ装着されている装着部３１３Ａ，３１３Ｂと、押縁３２と係合可能な鉤状の係合部３１３Ｃとが形成されている。ここで、水密材１２は、一つのヒレ部を有して形成され、装着部３１３Ａに装着されており、気密材１３は、装着部３１３Ａよりも室内側に位置する装着部３１３Ｂに装着されている。なお、装着部３１３Ａ，３１３Ｂ間には、嵌合凸部材１４Ａが嵌め込まれている。
室内見付け片３１４は、内側見込み片３１２および外側見込み片３１３に連続している。
内側見込み片３１２の段部３１２Ａには、耐火パネル１５の上縁部が配置されており、室内見付け片３１４には、耐火パネル１５の上縁部を支える支え板１６がビス止めされている。
【００２０】
押縁３２は、連結片３３、室外対向片３４および室内外断熱用の絶縁材３５（断熱材）の組合せ体によって断面略Ｌ字状に構成されている。
連結片３３は、上枠３０の見込み方向に沿って配置されており、係合部３３１と、対向片部３３２と、係合片部３３３とを有して形成されている。
係合部３３１は、鉤状に形成されており、上枠本体３１の係合部３１３Ｃと係合している。対向片部３３２は、上枠３０の見付け方向に沿って配置され、上枠３０の見込み方向において室外対向片３４に対し間隔を隔てて対向している。係合片部３３３は、連結片３３の室外端部に上枠３０の見付け方向両側（上側および下側）に突出しており、その両先端に膨大部が形成されている。
【００２１】
室外対向片３４は、上枠３０の見付け方向に沿って配置されており、係合凹部３４１と、装着部３４２とを有して形成されている。
係合凹部３４１は、図５に示すように、係合片部３３３の室内面に対向する室内対向面３４１Ａと、係合片部３３３の両端に対向する端部対向面３４１Ｂと、係合片部３３３の室外面に対向する室外対向面３４１Ｃとを有して形成されている。
絶縁材３５は、係合片部３３３を覆って取り付けられており、絶縁材３５の外面は、係合凹部３４１に覆われている。
装着部３４２は、係合凹部３４１よりも開口２３の内側（下方）に位置しており、パネル２１の室外面に当接するガスケット１８が装着されている。
【００２２】
パネル２１の交換時などには、押縁３２を上枠３０から取り外す。ここで、室外対向片３４は、係合片部３３３の長手方向に沿ってスライドさせることで、連結片３３に着脱可能である。室外対向片３４をスライドさせると、係合片部３３３を覆う絶縁材３５が露呈するため、当該絶縁材３５を目視による取付状態の確認を簡単に行える。
対向片部３３２と係合凹部３４１との間には、連結片３３と室外対向片３４とによって区画される装着溝３６が形成されており、この装着溝３６に一つのヒレ部を有した室外水密材１７が装着されている。室外水密材１７は、水密材１２よりも室外側であって絶縁材３５よりも室内側に位置している。
なお、連結片３３の室内端部には、上枠本体３１との隙間を埋めるスペーサおよびシール材が施工されている。
【００２３】
下枠４０は、図３，４に示すように、下枠本体４１（枠本体）と、押縁４２と、カバー片４３とを備えて構成されている。下枠本体４１は、室内対向片４１１と、内側見込み片４１２（見込み片）と、外側見込み片４１３（見込み片）と、室内見付け片４１４とを有して形成されている。
【００２４】
室内対向片４１１は、下枠４０の見付け方向に沿って配置されているとともに内側見込み片４１２よりも開口２４の内側（上方）に向かって延出した延出部４１１Ａを有している。延出部４１１Ａの室外面には、室外突部４１１Ｂが形成されており、延出部４１１Ａの室内面には、室内突部４１１Ｃが形成されている。室内突部４１１Ｃは室外突部４１１Ｂよりも開口２４の内側（上方）に位置している。室外突部４１１Ｂには、パネル２２の室内面に当接するバックアップ材１９が装着されている。室内突部４１１Ｃには、カバー片断熱用の絶縁材４４（断熱材）が装着されている。なお、バックアップ材１９の隣にはシール材１９Ａが施工されている。
【００２５】
内側見込み片４１２は、室内対向片４１１に連続している。内側見込み片４１２の室内部分には、立上り片部４１２Ａが形成されている。
外側見込み片４１３は、室内対向片４１１に連続しており、水密材１２および気密材１３がそれぞれ装着されている装着部４１３Ａ，４１３Ｂと、押縁４２と係合可能な鉤状の係合部４１３Ｃとが形成されている。なお、装着部４１３Ａ，４１３Ｂ間には、嵌合凹部材１４Ｂが嵌め込まれている。
室内見付け片４１４は、内側見込み片４１２および外側見込み片４１３に連続している。
【００２６】
カバー片４３は、下枠４０の見込み方向に沿って配置されている。カバー片４３の室外端部には、室外側に向かって凹状の凹部４３１が形成されている。カバー片４３の室内端部４３２は、下枠４０の見付け方向に突出して形成されている。凹部４３１は、室内突部４１１Ｃに装着された絶縁材４４に係合している。室内端部４３２は、他のカバー片断熱用の絶縁材４５（断熱材）を介して立上り片部４１２Ａにビス止めされている。
カバー片４３は、内側見込み片４１２の内側見込み面よりも開口２４の内側（上方）に間隔を隔てて位置し、当該位置で、内側見込み片４１２の上面を覆っている。なお、カバー片４３の室外端は、肉薄に形成され、延出部４１１Ａの先端を非当接状態で覆って位置している。
【００２７】
押縁４２は、押縁３２と同様に構成されて上下反対向きに配置されている。従って、押縁４２の各構成については、押縁３２の各構成と同符号を適宜付して詳細な説明を省略する。なお、押縁４２の室外対向片３４には、化粧材４６が装着されている。
【００２８】
無目５０は、無目本体５１（枠本体）と、押縁５２と、カバー片５６とを備えて構成されている。無目本体５１は、室内対向片５１１と、無目見込み片５１２，５１３（見込み片）と、室内見付け片５１４と、係合片５１５とを有して形成されている。
室内対向片５１１は、無目見込み片５１３よりも開口２４の内側（下方）に向かって延出した延出部５１１Ａを有している。室内対向片５１１の開口２３側寄りの位置には、室外突部５１１Ｂが形成されている。延出部５１１Ａの室外面には、室外突部５１１Ｃが形成されている。延出部５１１Ａの室内面には、室内突部５１１Ｄが形成されている。室内突部５１１Ｄは、室外突部５１１Ｃよりも開口２４の内側（下方）に位置している。室外突部５１１Ｂには、パネル２１の室内面に当接するガスケット１１が装着されている。室外突部５１１Ｃには、パネル２２の室内面に当接するバックアップ材１９が装着されている。バックアップ材１９の隣にはシール材１９Ａが施工されている。室内突部５１１Ｄには、絶縁材４４が装着されている。
【００２９】
無目見込み片５１２は、室内対向片５１１に連続しており、室内部分に段部５１２Ａが形成されている。
無目見込み片５１３は、室内対向片５１１に連続しているとともに、無目見込み片５１２よりも下方に位置している。無目見込み片５１３の室内部分には、垂下片部５１３Ａが形成されている。
室内見付け片５１４は、無目見込み片５１２，５１３に連続している。
係合片５１５は、室内対向片５１１に連続しており、無目５０の見込み方向に沿って配置されている。係合片５１５には、鉤状の係合部５１５Ａが形成されている。
無目見込み片５１２の段部５１２Ａには、耐火パネル１５の下縁部がセッティングブロックを介して載置されており、室内見付け片５１４には、耐火パネル１５の下縁部を支える支え板１６がビス止めされている。
【００３０】
押縁５２は、連結片５３、室外対向片５４および室内外断熱用の絶縁材５５（断熱材）の組み合わせ体によって断面略Ｔ字状に構成されている。
連結片５３は、無目５０の見込み方向に沿って配置されており、係合部５３１と、係合片部５３３とを有して形成されている。
係合部５３１は、鉤状に形成されており、無目本体５１の係合部５１５Ａと係合している。係合片部５３３は、連結片５３の室外端部に無目５０の見付け方向両側（上側および下側）に突出しており、その両先端に膨大部が形成されている。
【００３１】
室外対向片５４は、無目５０の見付け方向に沿って配置されており、その中間に位置する係合凹部５４１と、その両端側に位置する一対の装着部５４２，５４３とを有して形成されている。
係合凹部５４１は、係合片部５３３の室内面および室外面にそれぞれ対向する対向面を有して形成されている。
絶縁材５５は、係合片部５３３を覆って取り付けられており、絶縁材５５の外面は、係合凹部５４１に覆われている。
装着部５４２は、係合凹部５４１よりも上方に位置しており、装着部５４３は、係合凹部５４１よりも下方に位置している。装着部５４２には、パネル２１の室外面に当接するガスケット１８が装着されている。装着部５４３には、パネル２２の室外面に当接するガスケット１８が装着されている。
【００３２】
パネル２１，２２の交換時などには、押縁５２を無目本体５１から取り外す。ここで、室外対向片５４は、係合片部５３３の長手方向に沿ってスライドさせることで連結片５３に着脱可能である。室外対向片５４をスライドさせると、係合片部５３３を覆う絶縁材５５が露呈するため、当該絶縁材５５の目視による取付状態の確認を簡単に行える。
【００３３】
カバー片５６は、カバー片４３と同様に構成されて上下反対向きに配置されている。従って、カバー片５６の各構成については、カバー片４３の各構成と同符号を適宜付して詳細な説明を省略する。
なお、カバー片５６の凹部４３１は、室内突部５１１Ｄに装着された絶縁材４４に係合しており、カバー片５６の室内端部４３２は、垂下片部５１３Ａに絶縁材４５を介してビス止めされている。
【００３４】
図７，８において右側に示す縦枠６０は、縦枠本体６１と、押縁６２と、カバー片６３とを備えて構成されている。
縦枠本体６１は、上枠３０から下枠４０まで延びた通し材であり、室内対向片６１１と、縦枠見込み片６１２（見込み片）と、室内見付け片６１３と、係合片６１４とを有して形成されている。
室内対向片６１１は、縦枠６０の見付け方向に沿って配置されているとともに縦枠見込み片６１２よりも開口２３，２４の内側（図７，８において右側）に向かって延出した延出部６１１Ａを有している。延出部６１１Ａの室外面には、室外突部６１１Ｂが係止されており、延出部６１１Ａの室内面には、室内突部６１１Ｃが形成されている。室内突部６１１Ｃは室外突部６１１Ｂよりも図７，８において右側に位置している。室外突部６１１Ｂの上側部分（無目５０よりも上側部分）には、図７に示すように、パネル２１の室内面に当接するガスケット１１が装着されている。室外突部６１１Ｂの下側部分（無目５０よりも下側部分）には、図８に示すように、パネル２２の室内面に当接するバックアップ材１９が装着されている。室内突部６１１Ｃの下側部分（無目５０よりも下側部分）には、図８に示すように、カバー片断熱用の絶縁材４４が装着されている。なお、バックアップ材１９の隣にはシール材１９Ａが施工されている。
【００３５】
縦枠見込み片６１２は、室内対向片６１１に連続しており、装着部６１２Ａ，６１２Ｂが形成されている。装着部６１２Ａの上側部分には、二つのヒレ部を有して形成された水密材１２Ａが装着されている。装着部６１２Ｂの下側部分には、水密材１２が装着されている。装着部６１２Ｂには、気密材１３が装着されている。なお、縦枠見込み片６１２の上側部分（無目５０よりも上側部分）には、取付金具１６Ａおよび支え板１６を介して耐火パネル１５が取り付けられている。
室内見付け片６１３は、縦枠見込み片６１２に連続している。
係合片６１４は、室内対向片６１１の外側端部（図７，８において左側の端部）から室内側に突出して形成されている。係合片６１４には、鉤状の係合部６１４Ａが形成されている。
【００３６】
押縁６２は、押縁３２と同様に構成されて上下方向に沿って配置されている。従って、押縁６２の各構成については、押縁３２の各構成と同符号を適宜付して詳細な説明を省略する。なお、押縁６２に装着されたガスケット１８の上側部分（無目５０よりも上側部分）は、パネル２１の室外面に当接しており、当該ガスケット１８の下側部分（無目５０よりも下側部分）は、パネル２２の室外面に当接している。
【００３７】
カバー片６３は、縦枠６０の見込み方向に沿って配置されている。カバー片６３の室外端部には、室外側に向かって凹状の凹部６３１が形成されている。カバー片６３の室内端部６３２は、縦枠６０の見付け方向に延出し、さらに室外側に延出して逆コ字形状に形成されている。凹部６３１は、室内突部６１１Ｃに装着された絶縁材４４に係合している。室内端部６３２は、他のカバー片断熱用の絶縁材４５を介して縦枠見込み片６１２にビス止めされている。
カバー片６３は、縦枠見込み片６１２の内側見込み面よりも図７，８において右側に間隔を隔てて位置し、当該位置で縦枠見込み片６１２の内側面を覆っている。なお、カバー片６３の室外端は、肉薄に形成され、延出部６１１Ａの先端を非当接状態で覆って位置している。
【００３８】
なお、図７，８において左側に示す縦枠６０は、右側の縦枠６０と同様に形成されて左右逆向きに配置されているので、その詳細な説明を省略する。
【００３９】
図９は、図３に示すＩＸ−ＩＸ線に沿った断面図である。
下枠本体４１の内側見込み片４１２および外側見込み片４１３は、縦枠本体６１の縦枠見込み片６１２にビス２５によってビス止めされている。
内側見込み片４１２、外側見込み片４１３およびカバー片４３の各両端部と縦枠見込み片６１２との間には、シーラー２６が介在されている。これにより、下枠本体４１の内部が外部から遮断されているとともに、カバー片４３と内側見込み片４１２との間が室内外から遮断されている。
【００４０】
無目本体５１の無目見込み片５１２，５１３は、縦枠見込み片６１２にビス２５によってビス止めされている。
無目見込み片５１２，５１３およびカバー片５６の各両端部と縦枠見込み片６１２との間には、シーラー２６が介在されている。これにより、無目本体５１の内部が外部から遮断されているとともに、カバー片５６と無目見込み片５１３との間が室内外から遮断されている。
【００４１】
カバー片６３は、その上端部がカバー片５６に当接しており、その下端部がカバー片４３に当接している。カバー片６３と縦枠見込み片６１２との間の上側部分および下側部分には、気密材２７がそれぞれ設置されている。これにより、カバー片６３と縦枠見込み片６１２との間が室内外から遮断されている。
【００４２】
前述したカーテンウォールユニット１０が上下左右に複数並設されて構成されるカーテンウォール１では、上下方向において上枠３０および下枠４０同士が隣接している。上枠３０に装着された水密材１２、室外水密材１７および気密材１３は、図４に示すように、下枠４０に装着された水密材１２、室外水密材１７および気密材１３にそれぞれ当接し、上枠３０に装着された嵌合凸部材１４Ａは、下枠４０に装着された嵌合凹部材１４Ｂに嵌合している。当該水密材１２同士および気密材１３同士の当接によって室外側外気と等圧となる等圧空間を形成している。また、室外水密材１７同士の当接によって枠体２０の室外側寄りの位置で雨水等の浸入を抑制しているとともに、各室外対向片３４よりも室内側に位置する各連結片３３および枠本体３１，４１の室外側への露呈をなくしている。
【００４３】
また、カーテンウォール１では、左右方向において左右の縦枠６０同士が隣接している。縦枠６０に装着された水密材１２Ａ同士、室外水密材１７同士および気密材１３同士は、図７に示すようにそれぞれ当接しているとともに、水密材１２同士が図８に示すように当接している。当該水密材１２，１２Ａおよび気密材１３間には室外側外気と等圧となる等圧空間を形成している。また、当該室外水密材１７同士の当接によって枠体２０の室外側寄りの位置で雨水等の浸入を抑制しているとともに各室外対向片３４よりも室内側に位置する各連結片３３および各縦枠本体６１の室外側への露呈をなくしている。
【００４４】
カーテンウォール１では、隣接する各縦枠６０の室内面の上側部分には、図７に示すように、耐火材１５Ａが取り付けられている。また、隣接する各縦枠６０の室内面の下側部分には、図８に示すように、絶縁材６４（断熱材）、係合部材６５を介して室内端カバー片６６が係合している。
【００４５】
［カーテンウォールの施工］
以下、カーテンウォール１の施工について説明する。
工場において、先ず、上枠本体３１、下枠本体４１、無目本体５１および左右の縦枠本体６１を枠組みしたものを準備する。上枠本体３１、下枠本体４１、無目本体５１および左右の縦枠本体６１には、ガスケット１１、バックアップ材１９がそれぞれ装着された状態とする。また、下枠本体４１、無目本体５１および左右の縦枠本体６１には、各カバー片４３，５６，６３が絶縁材４４，４５を介してそれぞれ装着された状態とする。
他方、連結片３３、室外対向片３４および絶縁材３５によって構成される押縁３２，４２，５２，６２を準備する。押縁３２，４２，６２には、室外水密材１７が装着された状態とする。
次に、パネル２１，２２を開口２３，２４にそれぞれ配置する。つづいて、押縁３２，４２，５２，６２を、上枠本体３１、下枠本体４１、無目本体５１、縦枠本体６１に係合し、当該押縁３２，４２，５２，６２にガスケット１８を取り付けて、当該パネル２１，２２を保持する。
このようにして、カーテンウォールユニット１０を複数組立てる。
【００４６】
次に、組立てた各カーテンウォールユニット１０を施工現場に搬送し、建物２の壁部に沿って上下左右に複数並設する。並設状態において、各カーテンウォールユニット１０の水密材１２同士、水密材１２Ａ同士、気密材１３同士はそれぞれ互いに当接して前述した等圧空間を形成する。また、水密材１２，１２Ａよりも室外側では、室外水密材１７同士が当接し、雨水の浸入や室外側外気の過度な流入を抑制する。
このようにして、カーテンウォール１を施工する。
【００４７】
［本実施形態の効果］
（１）カーテンウォール１において、互いに隣接する各カーテンウォールユニット１０の水密材１２同士、水密材１２Ａ同士および気密材１３同士を当接させて水密材１２および気密材１３間と水密材１２Ａおよび気密材１３間とに室外側外気に対する等圧空間を形成し、室外側からの雨水の浸入を抑制可能な等圧構造を構成する。このような構成において、各室外対向片３４，５４と各連結片３３，５３との間に室内外断熱用の絶縁材３５，５５が介在されるため、室外側に露呈する室外対向片３４，５４から連結片３３，５３への熱伝導を絶縁でき、室内外間の断熱性を向上できる。
また、絶縁材３５，５５が水密材１２，１２Ａよりも室外側に装着されるため、絶縁材３５，５５よりも室内側に位置する各枠本体３１，４１，５１，６１に対する室外側外気に依存する温度変化を軽減し、各枠本体から水密材１２，１２Ａおよび気密材１３間の等圧空間への熱伝導を抑制して当該等圧空間の室外側外気に依存する温度変化を軽減できる。これにより、室外側外気による温度変化に影響されずに室内温度を所定温度に保つことがより容易となる。
（２）各係合片部３３３，５３３が枠体２０の見付け方向両側に突出して形成され、各係合凹部３４１，５４１が係合片部３３３，５３３の室内面に対向する室内対向面３４１Ａと、係合片部３３３，５３３の両端に対向する端部対向面３４１Ｂと、係合片部３３３，５３３の室外面に対向する室外対向面３４１Ｃとを有するため、火災時に係合片部３３３，５３３および係合凹部３４１，５４１間の絶縁材３５，５５が焼失等しても係合凹部３４１，５４１の各対向面（特に室内対向面３４１Ａ、室外対向面３４１Ｃ）は係合片部３３３，５３３に当接し、各室外対向片３４，５４によってパネル２１，２２の室外面を受けられる状態を維持できる。これにより、パネル２１，２２の室外側への脱落を抑制でき、遮炎性を保つことができる。
また、各係合片部３３３，５３３が各連結片３３，５３の室外端部に形成されるため、枠体２０の室外側寄りの位置に室内外断熱用の絶縁材３５，５５を配置できる。このため、室外温度に影響される枠体２０の部分を少なくでき、断熱性の向上を図ることができる。
（３）等圧空間形成用の水密材１２よりも室外側に位置する室外水密材１７によって、雨水の浸入を遮断できるとともに、室外温度に影響される枠体２０の部分をより少なくでき、そのうえ、室外側外気の過度な流入を抑制できて、断熱性の向上を図ることができる。
（４）連結片３３と室外対向片３４とによって区画される装着溝３６に室外水密材１７が装着されるため、室外水密材１７によって連結片３３が室外側に露呈する部分をなくすことができ、断熱性の向上を図ることができる。
（５）押縁３２，４２，５２，６２が、各室外対向片３４，５４、各連結片３３，５３および各絶縁材３５，５５の組合せ体によって構成されるため、押縁３２，４２，５２，６２を各枠本体３１，４１，５１，６１に係合するだけで、パネル２１，２２を保持できる。
また、パネル２１，２２の交換時などでは、押縁３２，４２，５２，６２と枠本体３１，４１，５１，６１との係合を解除するだけで、押縁３２，４２，５２，６２を取り外せ、パネル２１，２２を交換可能な状態にでき、作業性の向上を図ることができる。
（６）各カバー片４３，５６，６３が、各枠本体４１，５１，６１に各絶縁材４４，４５を介して連結されるため、各枠本体４１，５１，６１から各カバー片４３，５６，６３への熱伝達を絶縁できる。このように、カバー片４３，５６，６３への熱伝達が各絶縁材４４，４５によって絶縁されるため、カバー片４３，５６，６３と室内空間との温度差を低減でき、カバー片４３，５６，６３に結露が生じることを抑制できる。
さらに、各カバー片４３，５６，６３と各枠本体４１，５１，６１との間の空間が室内空気から遮断されることで、当該空間に室内側から湿った空気が流入することを抑制でき、内側見込み片４１２、無目見込み片５１３、縦枠見込み片６１２での結露を軽減できる。
加えて、一つのカバー片４３が一つの下枠本体４１に対して連結され、一つのカバー片５６が一つの無目本体５１に対して連結され、一つのカバー片６３が一つの縦枠本体６１に対して連結されるため、カーテンウォールユニット１０の現場施工前に予め各枠本体４１，５１，６１にカバー片４３，５６，６３を連結できる。
（７）室外対向片３４，５４と絶縁された下枠本体４１の延出部４１１Ａ、無目本体５１の延出部５１１Ａ、縦枠本体６１の延出部６１１Ａに室外突部４１１Ｂ，５１１Ｃ，６１１Ｂ、室内突部４１１Ｃ，５１１Ｄ，６１１Ｃをそれぞれ設けたので、バックアップ材１９と絶縁材４４とを室内外方向に容易に設けることができ、絶縁材４４とカバー片４３，５６，６３とを凹部４３１，６３１で確実に装着することができる。
（８）絶縁材３５，５５が係合片部３３３，５３３の室外面を覆ってそれぞれ設置されているため、パネル２１，２２の交換時などに押縁３２，５２を取り外した際に、室外対向片３４，５４を係合片部３３３，５３３の長手方向に沿ってスライドさせることで、目視によって絶縁材３５，５５の取付状態を確認することができ、作業性の向上を図ることができる。
（９）カーテンウォールユニット１０では、内側見込み片４１２、外側見込み片４１３およびカバー片４３の各両端部と縦枠見込み片６１２との間にシーラー２６が介在されており、無目見込み片５１２，５１３およびカバー片５６の各両端部と縦枠見込み片６１２との間にシーラー２６が介在されており、そして、カバー片６３と縦枠見込み片６１２との間の上側部分および下側部分に気密材２７がそれぞれ設置されている。つまり、カーテンウォールユニット１０は、前述したシーラー２６および気密材２７によってシールされたものである。このため、各カーテンウォールユニット１０の現場施工時に、内側見込み片４１２、外側見込み片４１３およびカバー片４３の各両端部と縦枠見込み片６１２との間、無目見込み片５１２，５１３の各両端部と縦枠見込み片６１２との間、ならびに、カバー片６３と縦枠見込み片６１２との間をシーリングする手間を省くことができる。
【００４８】
［変形例］
本発明は、以上の実施形態で説明した構成のものに限定されず、本発明の目的を達成できる範囲での変形例は、本発明に含まれる。
例えば、前記実施形態では、連結片３３と室外対向片３４とによって区画される装着溝３６が形成されているが、これに限定されず、例えば、各連結片３３のみによって凹状の装着溝を形成し、この装着溝に室外水密材１７を装着してもよい。
また、前記実施形態では、水密材１２よりも室外側の部分に室外水密材１７を備えているが、この室外水密材１７の構成を省略してもよい。
【００４９】
前記実施形態では、連結片３３，５３は、各枠本体３１，４１，５１，６１と別体として係合可能に構成されているが、これに限定されず、例えば、連結片３３，５３を各枠本体３１，４１，５１，６１の一部として一体に形成してもよい。
【００５０】
前記実施形態では、係合片部３３３，５３３は、連結片３３の室外端部に枠体２０の見付け方向両側に突出して形成されているが、これに限定されず、枠体２０の見付け方向片側に突出して形成されていてもよい。
【００５１】
前記実施形態では、カバー片４３，５６，６３を備えて構成されているが、これらの構成を省略してもよい。
【符号の説明】
【００５２】
１…カーテンウォール、１０…カーテンウォールユニット、１１，１８…ガスケット、１２，１２Ａ…水密材、１３，２７…気密材、１４Ａ…嵌合凸部材、１４Ｂ…嵌合凹部材、１５…耐火パネル、１５Ａ…耐火材、１６…支え板、１６Ａ…取付金具、１７…室外水密材、１９…バックアップ材、１９Ａ…シール材、２…建物、２０…枠体、２１，２２…パネル、２３，２４…開口、２５…ビス、２６…シーラー、３…梁、３０…上枠、３１…上枠本体、３１１，４１１，５１１，６１１…室内対向片、３１１Ａ，４１１Ｂ，５１１Ｂ，５１１Ｃ，６１１Ｂ…室外突部、３１２，４１２…内側見込み片、３１２Ａ，５１２Ａ…段部、３１３，４１３…外側見込み片、３１３Ａ，３１３Ｂ，３４２，４１３Ａ，４１３Ｂ，５４２，５４３，６１２Ａ，６１２Ｂ…装着部、３１３Ｃ，３３１，４１３Ｃ，５１５Ａ，５３１，６１４Ａ…係合部、３１４，４１４，５１４，６１３…室内見付け片、３２，４２，５２，６２…押縁、３３，５３…連結片、３３２…対向片部、３３３，５３３…係合片部、３４，５４…室外対向片、３４１，５４１…係合凹部、３４１Ａ…室内対向面、３４１Ｂ…端部対向面、３４１Ｃ…室外対向面、３５，４４，４５，５５，６４…絶縁材、３６…装着溝、４…床スラブ、４０…下枠、４１…下枠本体、４１１Ａ，５１１Ａ，６１１Ａ…延出部、４１１Ｃ，５１１Ｄ，６１１Ｃ…室内突部、４１２Ａ…立上り片部、４３，５６，６３…カバー片、４３１，６３１…凹部、４３２，６３２…室内端部、４６…化粧材、５…吊り天井、５０…無目、５１…無目本体、５１２，５１３…無目見込み片、５１３Ａ…垂下片部、５１５，６１４…係合片、６０…縦枠、６１…縦枠本体、６１２…縦枠見込み片、６５…係合部材、６６…室内端カバー片。
【図１】
0006444737.tif 000002
【図２】
0006444737.tif 000003
【図３】
0006444737.tif 000004
【図４】
0006444737.tif 000005
【図５】
0006444737.tif 000006
【図６】
0006444737.tif 000007
【図７】
0006444737.tif 000008
【図８】
0006444737.tif 000009
【図９】
0006444737.tif 000010